(57)【要約】【課題】本発明の目的は、マルチアプリケーション対応ＩＣカードを利用したＩＣカードシステムなど、アプリケーション利用システムにおいて、従来は複数の利用者に共通するサービスについて、使用権限が未登録であるユーザからの臨時・突発的に発生するサービス提供要求へのサービス提供が困難であった問題を解決するシステムを提供することにある。【解決手段】利用者により操作される操作端末と通信回線を介して接続され、記憶装置を有するセンタ装置を含むシステムにより実現されるアプリケーションのグループ利用方法であって、センタ装置は、利用者に提供するアプリケーションのデータを記憶装置に格納し、格納されたアプリケーションの使用権限が与えられている利用者の利用者識別情報と対応付けられた利用者識別情報を含むアプリケーション提供要求情報を操作端末から受信した場合にアプリケーションのデータを当該操作端末に送信する。【選択図】  図１
2005025423.tif 000002
【特許請求の範囲】
【請求項１】
利用者により操作される操作端末と通信回線を介して接続され、記憶装置を有するセンタ装置を含むシステムにより実現されるアプリケーションのグループ利用方法であって、
前記センタ装置は、
前記利用者に提供するアプリケーションのデータを前記記憶装置に格納し、
前記格納されたアプリケーションの使用権限が与えられている利用者の利用者識別情報と対応付けられた利用者識別情報を含むアプリケーション提供要求情報を前記操作端末から受信した場合に前記アプリケーションのデータを当該操作端末に送信することを特徴とするアプリケーションのグループ利用方法。
【請求項２】
請求項１記載のアプリケーションのグループ利用方法において、
前記センタ装置は、
利用者識別情報と前記アプリケーションの使用権限を有する旨を示す情報とが対応付けて前記記憶装置に格納されている場合に、
当該格納されている利用者識別情報と対応する利用者に前記アプリケーションの使用権限が与えられていると判断することを特徴とするアプリケーションのグループ利用方法。
【請求項３】
請求項２記載のアプリケーションのグループ利用方法において、
前記センタ装置は、
前記利用者識別情報と当該利用者識別情報が含まれる利用者グループを識別するグループ識別情報とを対応付けてグループ情報として前記記憶装置に格納し、
前記アプリケーションの使用権限が与えられている利用者の利用者識別情報と対応付けられた利用者識別情報とは、
当該使用権限が与えられている利用者の利用者識別情報が対応付けられたグループ識別情報と同一のグループ識別情報に対応付けられた利用者識別情報であることを特徴とするアプリケーションのグループ利用方法。
【請求項４】
請求項３記載のアプリケーションのグループ利用方法において、前記センタ装置は、
前記グループ情報に、利用者グループに対応する属性の情報をさらに格納し、
アプリケーションを提供される利用者識別情報が属する利用者グループの属性が満たすべき条件を前記記憶装置に格納し、
前記受信した利用者識別情報に対応付けられた利用者グループの属性が前記条件を満たす場合に、
前記アプリケーションを前記操作端末に送信することを特徴とするアプリケーションのグループ利用方法。
【請求項５】
利用者によって操作される操作端末と通信回線を介して接続されたセンタ装置を含む、アプリケーションのグループ利用システムであって、
利用者を識別する利用者識別情報と、
当該利用者が属するグループを識別するグループ識別情報と、
当該利用者にサービスを提供するサービス提供事業者を識別する事業者識別情報と、
当該利用者が前記サービス提供事業者の会員であるか否かを示す会員情報とを対応付けるグループ情報と、
前記センタ装置が提供するアプリケーションの識別情報と、
当該アプリケーションを提供するサービス提供事業者の事業者識別情報とを対応付ける機能選択条件情報とを格納する記憶装置と、
前記操作端末から事業者識別情報と利用者識別情報とを含むサービス提供要求を受信し、
前記グループ情報において前記受信した利用者識別情報と対応付けられたグループ識別情報と前記受信した事業者識別情報とをキーとして、前記受信した利用者識別情報の属する利用者グループに属する他の利用者識別情報を前記グループ情報から読み出し、
読み出した他の利用者識別情報のうち少なくとも１つに対応付けて格納された会員情報が、会員である旨を示している場合に、前記機能選択条件情報において前記受信した事業者識別情報と対応付けられたアプリケーション識別情報によって識別されるアプリケーションを前記サービス提供要求の送信元である操作端末に送信する制御装置と
を備えることを特徴とするアプリケーションのグループ利用システム。
【発明の詳細な説明】
【０００１】
【発明の属する技術分野】
本発明は、不揮発性メモリにアプリケーションプログラムを格納することが可能なＩＣチップ、これを活用したＩＣカード、該ＩＣチップ、該ＩＣカードを利用したシステムに関するものである。
【０００２】
【従来の技術】
ＩＣチップは、その内部に演算回路、記憶素子を内蔵することで、漏らしたくない情報をチップ内に閉じて処理することが可能で、高いセキュリティを実現できる。前述した特性から、ＩＣチップを持たせたＩＣカードが信頼性の高いＩＤ識別手段として、重要施設の入退室管理、金融分野の電子マネーなどの電子商取引、また、電子政府等に代表される公共分野でネットワーク上で個人の本人確認が行える公的な身分証明の手段として導入が進められつつある。
【０００３】
最近のＩＣカードでは、１枚のカード上に複数のアプリケーションプログラムを安全かつ独立性が高く共存できるように制御できるカードＯＳを有するマルチアプリケーション対応のタイプが一般的になってきている。マルチアプリケーション対応ＩＣカードは、発行後新たに必要になったアプリケーションプログラムを追加したり、不要になったアプリケーションプログラムを削除することも可能となっている。
【０００４】
こういったテーマに関して複数のＩＣカード発行業者間をまたがる場合に登録負荷を軽減する管理方法の公知例従来技術としては、特許文献１がある。
【０００５】
【特許文献１】
特開２００１−３５１０７３号公報
【０００６】
【発明が解決しようとする課題】
しかし、ポイントシステムのサービスを家族、友達のグループ内で同種のサービスを共有したいという決め細かなニーズに的確に対応するサービスの利用申込みの管理事務で手間が発生している。家族カードのように家族、友達、職場といった同じ集団に属したグループ単位で同様のサービスを提供するカードサービスが存在するが、これらはカード発行時に決められたサービスの提供である。マルチアプリケーション対応ＩＣカードでは、発行後、新たにポイントシステム等の追加サービスを受けられるようにすることが可能だが、この場合には、各自が保有する個々のＩＣカードについてアプリケーションの使用権限の登録処理が完了しないと利用できない。
【０００７】
本発明の目的は、マルチアプリケーション対応ＩＣカードを利用したＩＣカードシステムなど、アプリケーション利用システムにおいて、従来は複数の利用者に共通するサービスについて、使用権限が未登録であるユーザからの臨時・突発的に発生するサービス提供要求へのサービス提供が困難である問題を解決するシステムを提供することにある。
【０００８】
【課題を解決するための手段】
利用者により操作される操作端末と通信回線を介して接続され、記憶装置を有するセンタ装置を含むシステムにより実現されるアプリケーションのグループ利用方法であって、センタ装置は、利用者に提供するアプリケーションのデータを記憶装置に格納し、格納されたアプリケーションの使用権限が与えられている利用者の利用者識別情報と対応付けられた利用者識別情報を含むアプリケーション提供要求情報を操作端末から受信した場合にアプリケーションのデータを当該操作端末に送信する。
【０００９】
【発明の実施の形態】
以下発明の形態について図面を用いて説明する。これにより本発明が限定されるものではない。また、本発明を適用するＩＣカード利用システムにおける「ＩＣカード」は記録・演算が可能なＩＣチップと外部とデータアクセス可能な入出力部を有しする人間が運搬可能媒体を示す場合に従来技術の代表例として本発明で用いている。このため、本発明を適用可能な該ＩＣチップを有するその他媒体（携帯電話、記録・演算・通信が可能なＩＣタグ、ＩＣチップそのもの）もその一例である（本実施例では以降ＩＣカードを代表例として進める）。
【００１０】
最初に図１、図２、図３、図４、図５、図６を用いて実施例１を以下に説明する。本実施例では、同一グループに属する利用者のひとりがＩＣカード利用サービスに正式登録したのを契機として、グループ内のその他の利用者全員にも該ＩＣカード利用サービスに正式登録しなくても、該ＩＣカード利用サービスを限定的ではあっても即時に利用可能とするＩＣカード利用システムを以下に説明する。図１、図２、図３は、本発明を適用したＩＣカード利用システムの実施形態の一例である実施例１のシステム構成のブロック図および処理手順のフローである。
【００１１】
本実施例は、図１と図２を用いて説明する事前処理と、図１、図３を用いて説明する本処理に分けて記述している。このうち事前処理は、ＩＣカード内のメモリにカード利用サービスのアプリケーションをインストールする会員登録処理である。また本処理は、その処理結果を契機としてグループメンバのＩＣカードへ機能制限付の利用サービスのアプリケーションをインストールする処理である。
【００１２】
＜１．  会員登録処理＞
まず、図１と図２を用いて実施例１の事前処理であるＩＣカードの会員登録の処理手順を説明する。しかし、事前処理の処理形態は、本処理を実現するために必須となる唯一の処理方法となっているわけではなく、別の処理形態で目的とするＩＣカード利用システムを実現してもよい。
【００１３】
図１を用いて詳細に説明する。まず、構成要素を説明する。本実施例のシステムは適用の一例として住居１０、運用事業者２０、サービス提供事業者３０それぞれの立場の利用者が用いる装置群で構成する。住居１０は、一例として住宅、マンション、会社等の施設である。運用事業者２０は、本発明を適用するＩＣカード利用システムを運営する組織体である。サービス提供事業者３０は、住居１０を利用する使用者Ａ、Ｂ、Ｃに対してＩＣカード利用サービスを提供する。装置構成の基本部分は住居１０の制御装置１、運用事業者２０のセンタ装置６、サービス提供事業者３０の操作端末１９がネットワーク・無線等の電気通信回線で接続されている。
【００１４】
住居１０には、制御装置１にリーダ・ライタ３を備えた施錠・開錠装置２、リーダ・ライタ４、ディスプレイ５がネットワーク・無線等の電気通信回線で接続している。制御装置１は、住居１０内で用いる機器を制御したり、センタ装置６とやり取りする情報を一部または全部を情報処理する役割の機器である。施錠・開錠装置２は、建物の入退室で管理対象となる扉（住宅の例では玄関）の鍵の施錠・開錠（物理的なアクセス）を制御する役割の機器である。該施錠・開錠装置２は、ＩＣカードａ、ｂ、ｃそれぞれとデータ通信可能なリーダ・ライタ３を備えるものとする。複数の利用者Ａ、Ｂ、Ｃそれぞれが利用するＩＣカードは、演算・記憶・通信等が可能なＩＣチップを有する運搬可能な媒体のことである。リーダ・ライタ４もリーダ・ライタ３と同様にＩＣカードａ、ｂ、ｃとデータ通信可能な入出力手段である。リーダ・ライタ３は、鍵の施錠・開錠を主目的としたアクセスを行うことから、施設内で広範囲なアクセスを行う装置４とはアクセスの範囲／形態等で異なる場合もある。
【００１５】
運用事業者２０で用いているセンタ装置６では、以下に示すＩＣカード利用システムの運用に必要な情報を格納した記憶装置を備えている。格納された情報は、具体的には、個人認証情報７、利用者情報８、グループ情報９、アプリケーション情報１０、機能選択情報１２からなるデータベース等を用いて管理する情報である。個人認証情報７は、ＩＣカード発行時にカード内のメモリに登録されるカードや所有者を識別するための情報である。一例として一連番号、コード、電子署名、証明書などである。利用者情報８は、個人認証情報７と同様にＩＣカード発行時に利用者Ａ、Ｂ、Ｃからカード発行時等で取得した利用者個人の基本情報である。利用者情報８においては、利用者の電子メールアドレスなど「連絡先」と、利用者を識別する情報である「ユーザ」が対応付けられて格納されている。
【００１６】
グループ情報９は、カード利用者をグループ単位で登録済みサービスの状況を管理するための情報である。図４にグループ情報９のテーブル構成図の一例を示す。テーブルのデータ項目の一例として、ユーザ４０１、グループ４０２、登録済みサービス４０３、グループ識別情報４１１からなる。ユーザ４０１は、ＩＣカードの各利用者の識別情報であり、グループ４０２は、ユーザ４０１が所属する利用者のメンバ全員の管理情報である。登録済みサービス４０３は、ＩＣカードの各利用者が登録済みのサービス（アプリケーション情報）を識別するための管理情報である。グループ識別情報４１１は、ＩＣカードの各利用者が所属するグループそれぞれを識別するための管理情報である。図４中、例えば利用者Ａは、家族１と友人１の各グループに所属しているが、利用者は複数の友人のグループ、例えば友人１と友人２と、に対応付けてもよい。
【００１７】
アプリケーション情報１０は、サービス事業者３０が提供するＩＣカード利用サービスを利用者Ａ、Ｂ、Ｃのカード内で実行するアプリケーションデータ本体である。図５にアプリケーション情報１０のテーブル構成図の一例を示す。テーブルのデータ項目の一例として、サービス５０１、アプリケーションデータ５０２からなる。サービス５０１は事業者名、サービス名を識別する識別情報であり、アプリケーションデータ５０２は、サービス状態応じて機能仕様が異なる各バージョンのアプリケーションデータである。
【００１８】
機能選択情報１１は、サービス事業者３０が提供するＩＣカード利用サービスの運営条件を管理するための情報である。図６に機能選択情報１２のテーブル構成図の一例を示す。テーブルのデータ項目の一例として、サービス６０１、「条件１」６０２、「条件２」６０３、ＤＬ処理６０４からなる。サービス６０１は、前述の図５のサービス５０１と同様である。「条件１」６０２は、カード利用者が対象サービスについて正式会員入会済み（本人）か仮会員の登録対象（家族）などの判定情報である。「条件２」６０３は、「条件１」６０２の条件に追加して判定する必要があるときの付加条件の判定情報である。ＤＬ処理６０４は、「条件１」６０２、「条件２」６０３の判定結果に基づいて要求があったＩＣカードに対して実行する処理命令情報である。
【００１９】
サービス提供事業者３０で用いている操作端末１９は、ネットワーク・無線等の電気通信回線でセンタ装置６と接続されている。この操作端末１９では利用者Ａ、Ｂ、Ｃそれぞれが使用するＩＣカードａ、ｂ、ｃとデータ通信可能、画面表示、キー入力等が可能な入出力手段を持つものとする。
【００２０】
次に、図１、図２を用いて本発明を適用する事前処理の処理手順を説明する。事前処理は、基本的には通常のＩＣカード内のメモリにカード利用サービスのアプリケーションをインストールする会員登録処理と同様である。図１の利用者Ａがサービス提供事業者３０内の操作端末１９とＩＣカードａ（利用者ＡのＩＣカード）がデータ通信可能となり会員登録処理を開始する状態から、図２の処理手順を説明する。異なる部分を中心に説明する。
【００２１】
まず、センタ装置６は、操作端末１９を介して、ＩＣカードａから読み出された個人認証情報７とセンタ装置６の個人認証情報７とを比較し利用者Ａの認証を行う（ステップ２０１）。認証が正当なものであれば、センタ装置６は、申請した事業者の提供するサービスに対応したアプリケーションをアプリケーション情報１０から読出し、操作端末１９に送信する（ステップ２０２）。操作端末１９は、アプリケーションの情報を受信し、ＩＣカードａのメモリ内に該アプリケーションをインストール（会員登録）する。
【００２２】
ここで、利用者Ａ側の処理は終了するが、センタ装置６では続いて、ステップ２０３、ステップ２０４の処理を行う。ステップ２０１で認証した該利用者のグループ管理情報の該当レコード（図４の４０３）を参照する（ステップ２０３）。続いて、図４の４０５レコードの４０３カラムの登録済みサービスのデータに申請されたサービスを識別する情報を格納する（ステップ２０４）。これにより、図４の４０３に示すとおり、利用者ＡはＡ、Ｂ、Ｃからなるグループ（グループ識別情報４０４：家族１）の一員で、事業者Ｄのサービスの会員に登録された状態で事前処理は終了する。
【００２３】
＜２．  グループメンバによるサービス利用処理＞
次に、図１、図３を用いて本発明を適用する本処理の処理手順を説明する。本処理は、事前処理（会員登録）の結果を契機として、グループメンバとなっているＩＣカードも正式登録をしなくても限定的ではあるが即時の利用サービスの利用可能とし、そのサービス利用が可能であることを利用者が確認できるＩＣカード利用システムの処理である。ここで、本処理が起動するタイミングは事前処理の直後に限定されるものではなく定期的な時間間隔で起動したり、それらが組み合わされた場合も選択可能であることは言うまでもない。
【００２４】
図１に示した利用者Ｂまたは利用者Ｃが利用するＩＣカードｂまたはｃが、住居１０内のリーダ・ライタ３または、リーダ・ライタ４にアクセスし、主目的の処理が完了後に図３に示す処理手順の本処理が開始するものとする。
【００２５】
ＩＣカードｂまたはｃがリーダ・ライタ３、リーダ・ライタ４および制御装置１を介して運用事業者２０のセンタ装置６内の個人認証情報７を参照し、認証を行う（ステップ３０１）。この認証において制御装置１はリーダ・ライタ４がＩＣカードから読み出した利用者の識別情報（“利用者Ａ”など）をセンタ装置６に送信する。認証において、または認証の後、制御装置１が利用者によって所望されるサービス提供者の識別情報（“事業者Ｄ”など）をセンタ装置に送信してもよい。利用者識別情報の送信、または利用者識別情報及びサービス提供者の識別情報の送信によりサービス提供の要求をセンタ装置６に通知することができる。次に、認証が成功したらセンタ装置６は、センタ装置６内のグループ情報９の該当レコード（図４の４０５）を参照し、グループ４０２カラムのデータ（“Ａ、Ｂ、Ｃ”）、グループ識別情報４１１カラムのデータ（“家族１”）を参照する（ステップ３０２）。このステップでユーザが属しているグループおよび、グループに属するメンバ全員を把握する。そしてセンタ装置６は、ステップ３０２で参照したグループ情報９の情報をもとに業務処理条件の判定を行う。この業務処理条件の判定ステップでは、各ユーザがどのＩＣカード利用サービスに登録されているか、登録されているサービスに属するグループのメンバであるユーザは誰か、またそのグループは家族、友人といった識別が必要な特定のグループかどうか、本処理の対象となるグループのメンバであるユーザにとって該当サービスが既に登録済みで処理が必要ない状態かどうかなどを判定する。
【００２６】
以下に典型的な利用の一例として、該当ＩＣカードサービスに未入会である家族ユーザに対してサービスを使えるように登録する処理手順を説明する。センタ装置６は、利用者と同一グループの各メンバの該当レコード（図４の４０４、４０５、４０６）の登録済みサービス４０３カラムを参照し、図６に示す機能選択条件情報１１の該当サービスの各レコード（図６の６０５、６０６）の各条件（「条件１」６０２「条件２」６０３）と比較する。そして条件が適合すれば次のステップ（ステップ３０４）に進み、またひとつも条件に適合しなかったらそのまま処理を終了する（ステップ３０３）。センタ装置６は、条件が適合した図６の機能選択条件情報１１の該当レコード（図６の６０５、６０６）のＤＬ処理カラム（図６の６０４）の処理命令を実行する（ステップ３０４）。すなわち、ステップ３０４においてセンタ装置６は、ＤＬ処理６０４で指定されたアプリケーションを制御装置１に送信し、制御装置１は受信したアプリケーションをＩＣカードに格納する。条件に適合したサービスが複数存在する場合には、センタ装置６は、予め制御装置１から受信しておいたサービス提供者の識別情報に対応するサービスに登録済みのメンバがいないかチェックし、または提供可能サービス一覧情報を制御装置１に送信し、制御装置１は、受信したサービス一覧情報をディスプレイ５に表示して利用希望サービスの選択を受け付ける。
【００２７】
図を用いて具体的に説明すると、図４が処理前の状態とすると、利用者Ｂの該当レコード（図４の４０５）のグループ４０２からメンバはＡ、Ｂ、Ｃの３人であり、登録済みサービス４０３カラムは空白、メンバのＡが事業者Ｄサービスの正式会員であるため、図６の機能選択条件情報１１の該当レコード（図６の６０６）の処理条件と一致する。制御装置１は、ＤＬ処理６０４カラムの処理命令である図５の該当レコード５０４のアプリケーションデータカラム５０２内のデータをセンタ装置６からダウンロードする処理を実行し、ダウンロードしたデータをＩＣカードに格納する。利用者Ｐの場合は前述の図４の４０６と図６の６０７の該当レコードを比較すると、既に属するグループが家族である条件に一致しないので、そのまま処理を終了する。
【００２８】
制御装置１は、ステップ３０４を実行（アプリケーションデータダウンロード）完了後、一例として図１のディスプレイ５に示すような処理結果情報を利用者に表示する（ステップ３０４）。
【００２９】
以上のようにセンタ装置６は、サービス提供事業者の識別情報とサービス提供事業者の会員である利用者の利用者識別情報（カラム４０１“利用者Ａ”など）と利用者の属するグループのグループ識別情報とを対応付けてグループ情報として記憶装置に格納し、端末装置からサービス提供事業者の識別情報と利用者識別情報とを受信すると、グループ情報においてその利用者識別情報と対応付けられたグループ識別情報をキーに、他の利用者識別情報を抽出し、抽出された利用者識別情報が、受信したサービス提供事業者の識別情報と対応付けて格納されていた場合、端末装置にアプリケーションデータを送信することにより、会員でない利用者に対しても、その利用者が会員と同じグループに属していればサービス提供できる。同一グループとして登録された同一グループメンバ（家族）の何れかが、ＩＣカード利用サービスの正式登録をしておくことにより、同一グループメンバ（家族）で利用する機会があるサービスを、正式登録のための手間で停滞させられることなく、他の同一グループメンバ（家族）から登録済みカードを借りなくても自分のカードだけでサービスを受けることが可能となる。また、新たに利用可能となったカード利用サービスを自ら意識することなく日常の生活行動の中で通知を受けることができるようになる。
【００３０】
本実施の形態においては、センタ装置６の機能選択条件情報１１によって、アプリケーションごとに利用条件として、正会員または正会員の属するグループのメンバであることを設定可能なので、ＩＣカードに複数のアプリケーションを格納する場合に、各アプリケーション毎に正会員であること、または正会員の家族など正会員と一定の関係を有する利用者であることに基づきサービスを受けることが可能となる。
【００３１】
本実施の形態において、機能選択条件１１の該当サービスの各レコードの各条件と比較する主体をセンタ装置６として説明したが、制御装置１が、この条件比較に必要となる情報をセンタ装置６から読み出し、条件比較しても良い。この場合、制御装置１は、ＩＣカードから読み出した利用者識別情報であるユーザ４０１をセンタ装置６に送信し、センタ装置は受信した利用者識別情報に対応するグループ情報を読み出し制御装置１に送信する。またこの場合、制御装置１は、ユーザが所望するサービスを提供するサービス提供事業者の識別情報である事業者識別情報をセンタ装置６に送信し、センタ装置は受信した事業者識別情報に対応する機能選択条件情報を制御装置に送信する。
【００３２】
＜３．  第２の実施例＞
続いて、図１、図３、図４、図５、図６、図７を用いて本発明を適用した実施例２を以下説明する。
【００３３】
前述の実施例１は、“事前処理”と“本処理”の２つに分けて説明したが、本発明の特徴である“事前処理”の部分に改良を加える余地がある。
【００３４】
実施例１では、ＩＣカードの利用者をグループ管理するときに、利用者がＩＣカード利用サービスに入会した事実を共有してもよい場合と、事実を共有させたくない場合それぞれあることを考慮した解決手段について述べていなかった。ある場面で利用者が入会したサービスを伝えておきたい相手と通常設定しているグループのメンバが異なるときや、明らかに該ＩＣカード利用サービスが他のグループメンバにとって必要ないことが分かっている場合には不十分で、利便性向上に寄与しないことがある。
【００３５】
本実施例では、サービスを共有する共有しないを明示的に指定でき、かつ共有する場合には、グループメンバを選択可能とするようにするＩＣカード利用システムを以下に説明する。
【００３６】
実施例２のシステム構成と構成要素は、基本的に実施例１と変わらない。ここで、前述の実施例１における２つの処理手順のうち、図１に示すサービス提供事業者３０に設置した操作端末１９において、“事前処理”の部分に以下の改良を加える。図６の一例に示すように、利用者がカードサービス入会時に操作端末の画面を表示させる処理を追加する。図６に示す操作端末１９の画面表示例では、利用者がグループ情報９において１つの友人のグループ、例えば「友人１」のみに対応付けられている場合、６０１「友達に知らせる」メニューを表示し、利用者により「友達に知らせる」メニューが選択された場合、操作端末１９が他の利用者への通知要求を示す情報（通知要求情報）をセンタ装置に送信する。
【００３７】
利用者がグループ情報９において複数の友人のグループ、例えば友人１と友人２、に対応付けられている場合、操作端末は、「友人１に知らせる」メニューと「友人２に知らせる」メニューとを表示することで、複数のグループのうち利用者への通知要求を出すグループの選択を受け付け、利用者により選択されたメニューに応じて、各グループの識別情報を含めた通知要求情報をセンタ装置に送信する。この情報を受信したセンタ装置６はグループ情報９から利用者の友人を決定する。センタ装置６は、利用者情報８から友人の電子メールアドレスなど連絡先を取得し、この連絡先に利用者が入会した旨を通知する。この通知により、新たに利用可能となったカード利用サービスを自ら意識することなく日常の生活行動の中でカード利用サービスが利用可能である通知を受けることができるようになる。また、入会した旨を通知する相手のグループを利用者に選択させることで、入会したＩＣカード利用サービスが必要な共有させたい相手の明示的な指定を入力することができる。
【００３８】
＜４．  第３の実施例＞
最後に、図１、図４、図５、図６、図７、図８を用いて本発明を適用した実施例３を以下に説明する。
【００３９】
前述の実施例２は、“事前処理”と“本処理”の２つ処理のうち、“事前処理”の部分に改良を加えた。本実施例では、実施例２で改良を加えた“事前処理”と“本処理”の２つ処理を用いて、さらに登録対象とするデータであるＩＣカード用のアプリケーションに工夫を行う。
【００４０】
前述の実施例１では、同じＩＣカード利用グループに登録済みメンバの誰かが新たにサービスに入会したことを利用者に知らせる方法について、メンバ全員で利用する必然性が高いサービスを例に説明した。しかし、実施例１や実施例２ではサービス提供事業者にとって売上拡大に貢献する販促活動の用途に適用できることを説明していない。
【００４１】
本実施例では、利用者ＩＣカードサービスに入会した際に、該利用者が指定した相手に宣伝を兼ねた試供サービスを紹介するＩＣカード利用システムを、実施例３として以下に説明する。
【００４２】
実施例３のシステム構成と構成要素、処理手順は、基本的に実施例２と変わらない。ここで、前述の実施例２のシステム構成と構成要素、処理手順を用いながら、図１のセンタ装置６内にあるアプリケーション情報１０に格納するＩＣカード用アプリケーション用のデータ、同じく、センタ装置６内にある機能選択条件情報１１等に格納する機能選択条件用のデータに以下の改良を加える。
【００４３】
本実施例では、一例として、宣伝を兼ねた試供サービスを提供する事業者Ｆが本実施例を適用するものとする。事業者Ｆ用のデータとして登録する具体例として図５、図６のテーブル構成図に示すデータをそれぞれ格納する。
【００４４】
図５のテーブル構成図に示すアプリケーション情報１０内には、以下の３つを用意し格納しておく。図５の５０５に示す正式登録した場合に利用者のカードに格納する会員用のＩＣカードアプリケーションと、図５の５０６に示す一定以上の利用実績がある優待会員用のＩＣカードアプリケーションと、図５の５０７に示す販売促進用のお試し会員用のＩＣカードアプリケーションである。
【００４５】
図５の５０６は５０５に比べてポイント加算が多い点でアプリケーションの仕様が異なっている。図５の５０７は、５０５に比べて利用回数や利用期間が限定されている点と、カード情報閲覧時に宣伝用情報を表示する機能が追加されている点でアプリケーションの仕様が異なっている。
【００４６】
次に、格納する事業者Ｆ用のカードサービス運用条件である登録データ例として、図６のテーブル構成図に示す機能選択条件情報１１に以下の５つを用意し格納しておく。
【００４７】
図６のテーブル構成図内のレコード６０８に示す通常の正式な入会時の処理条件と、図６の６０９に示す得客としての条件に適合した場合に優待会員として登録する処理条件と、図６の６１０に示す前述の図６の６０９と別の条件が成立することで優待会員として登録する処理条件、図６の６１１に示す家族の何れかが入会したことでお試し会員として登録する処理条件と、図６の６１２に示す入会した友人からの紹介でお試し会員として登録する処理条件である。このように、図５の５０６、図６の６０９、６１０のデータを用意し本発明に適用することで、上得意先利用者に対してサービス利用意欲を向上させるポイントサービスシステムを提供することができる。また、図５の５０７、図６の６１１、６１２のデータを用意し、実施例２で説明した図７に示すグループ対象の選択画面例それぞれを本発明に適用することで、利用ニーズの高い家族、友人といった特定集団の顧客層に対して、利用実績のある知人の紹介といった安心感があり、正式登録する手間暇をかけなくても限定的ではあるが気軽にＩＣカードサービスを試用できる。
【００４８】
【発明の効果】
以上説明したような仕組みにより、本発明によれば、サービス提供を受けることを希望する利用者の属する利用者グループに、そのサービス提供に関する使用権限を有するメンバがいる場合にサービスを受けることが可能となる。
【図面の簡単な説明】
【図１】本実施例におけるＩＣカード利用システムのシステム構成のブロック図である。
【図２】本実施例におけるＩＣカード利用システムのフローチャートである。
【図３】本実施例におけるＩＣカード利用システムのフローチャートである。
【図４】本実施例におけるＩＣカード利用システムにおけるセンタ装置内でグループ情報を管理する一実現例を説明するためのテーブル構成図である。
【図５】本実施例におけるＩＣカード利用システムにおけるセンタ装置内でアプリケーション情報を管理する一実現例を説明するためのテーブル構成図である。
【図６】本実施例におけるＩＣカード利用システムにおけるセンタ装置内で機能選択条件情報を管理する一実現例を説明するためのテーブル構成図である。
【図７】本実施例におけるＩＣカード利用システムにおいて、サービスの利用登録をする際に一時的なお試しサービスが利用可能となるユーザグループを明示的に選択できるようにする画面表示方法である。
【図８】本実施例のＩＣカード利用システムにおいて、一時的なお試し利用が可能なサービスの概要を確認できるようにする画面表示方法である。
【符号の説明】
１…制御装置、２…施錠・開錠装置、３…リーダ・ライタ、４…リーダ・ライタ、５…ディスプレイ、６…センタ装置、７…個人認証情報、８…利用者情報、９…グループ情報、１０…住居、１１…アプリケーション情報、１２…機能選択条件情報、１３…個人認証情報、１４…正会員アプリケーション、１５…ポイント実績データ、１６…個人認証情報、１７…仮会員アプリケーション、１８…ポイント実績データ、１９…操作端末、２０…運営事業者、３０…サービス提供事業者、Ａ…利用者、Ｂ…利用者、Ｃ…利用者、ａ…ＩＣカード、ｂ…ＩＣカード、ｃ…ＩＣカード、
【図１】
2005025423.tif 000003
【図２】
2005025423.tif 000004
【図３】
2005025423.tif 000005
【図４】
2005025423.tif 000006
【図５】
2005025423.tif 000007
【図６】
2005025423.tif 000008
【図７】
2005025423.tif 000009
【図８】
2005025423.tif 000010